(57)【特許請求の範囲】
【請求項１】
外面に水勾配を有し、内面の周囲に水平の載置面を有するプレキャストコンクリート製の屋根板の内面側であって前記載置面に囲まれる内側において、上側に断熱材を、下側に下地材を配置した状態でこれらを前記屋根板に埋設するとともにその下地材の内面を前記載置面と略同一面にして露出させ、
更に、前記断熱材の厚みを軒先側から棟側に向かって漸次厚くし、該断熱材の上面に設けられたプレキャストコンクリート製の屋根板の厚みを、軒先側から棟側にわたって略同一厚に形成し、前記断熱材と下地板は、こられに打込まれた止め具の頭部を上方へ突出させて、この頭部を前記屋根板のコンクリートを打設する際に前記屋根板内に埋設させて保持させ、前記下地材の内面に天井材を取り付けたことを特徴とするプレキャストコンクリート造における天井材の取付け構造。
【請求項２】
上面に軒先側から棟側に向って漸次厚くした断熱材を設けた下地材であって、止め具を断熱材と下地材に打ち込んで、その頭部を断熱材の上面より突出させた下地材を、所定形状の側型枠内のベッド上に配置し、次に、前記側型枠内にコンクリートを、前記断熱材の上面において軒先側から棟側にわたって略同一厚に打設してこれを硬化させ、下面の周囲に水平の載置面を有し、該載置面に囲まれた内側に前記断熱材と下地材が埋設されるとともに前記止め具によってコンクリート部に固着されたプレキャストコンクリート製の屋根板を成形し、該屋根板を現場の壁板等に載置してその下地材の内面に天井材を張るようにしたことを特徴とするプレキャストコンクリート造における天井材の取付け方法。
【発明の詳細な説明】
【０００１】
【発明の属する技術分野】
本発明はプレキャストコンクリート造における天井材の取付け構造とその天井材の取付け方法に関する。
【０００２】
【従来の技術】
従来、プレキャストコンクリート製の屋根板を使用して天井材を取り付ける方法として、図３に示すように、先ず工場において、外面１０１に水勾配を形成し、内面（天井面）１０２を水平面にするとともに内面側に下地取付金物１０３を埋設したプレキャストコンクリート製（以下ＰＣａ）の屋根板１０４を製造し、この屋根板１０４を現場に立設したＰＣａ壁板１０５等の上面に載置架設し、その後、屋根板１０４の内面（天井面）１０２に断熱材１０６を吹き付けて設け、その後、下地取付金物１０３を用いて下地材１０７を取り付け、更に、この下地材１０７に天井材１０８を張るようにしたものが知られている。
【０００３】
【発明が解決しようとする課題】
前記従来のＰＣａ屋根板においては、その軒先から棟に向って板厚が漸次厚くなり、コンクリートボリュームが嵩み、コスト高になるとともに、そのＰＣａ屋根板１０４の天井面１０２が壁板１０５への載置面１０９と同一面であることから、この載置面１０９よりも下側に天井の下地材１０７や天井材１０８が配設されることになり、天井高が低くなる問題がある。
【０００４】
また、断熱材や下地材を現場で取り付けることから施工工程の簡略化、工期の短縮化にも問題がある。
【０００５】
そこで本発明は前記の問題を解決するプレキャストコンクリート造における天井材の取付け構造とその天井材の取付け方法を提供することを目的とするものである。
【０００６】
【課題を解決するための手段】
前記の課題を解決するために、請求項１記載の第１の発明は、外面に水勾配を有し、内面の周囲に水平の載置面を有するプレキャストコンクリート製の屋根板の内面側であって前記載置面に囲まれる内側において、上側に断熱材を、下側に下地材を配置した状態でこれらを前記屋根板に埋設するとともにその下地材の内面を前記載置面と略同一面にして露出させ、
更に、前記断熱材の厚みを軒先側から棟側に向かって漸次厚くし、該断熱材の上面に設けられたプレキャストコンクリート製の屋根板の厚みを、軒先側から棟側にわたって略同一厚に形成し、前記断熱材と下地板は、こられに打込まれた止め具の頭部を上方へ突出させて、この頭部を前記屋根板のコンクリートを打設する際に前記屋根板内に埋設させて保持させ、前記下地材の内面に天井材を取り付けたことを特徴とするプレキャストコンクリート造における天井材の取付け構造である。
【０００８】
請求項２に記載の第２の発明は、上面に軒先側から棟側に向って漸次厚くした断熱材を設けた下地材であって、止め具を断熱材と下地材に打ち込んで、その頭部を断熱材の上面より突出させた下地材を、所定形状の側型枠内のベッド上に配置し、次に、前記側型枠内にコンクリートを、前記断熱材の上面において軒先側から棟側にわたって略同一厚に打設してこれを硬化させ、下面の周囲に水平の載置面を有し、該載置面に囲まれた内側に前記断熱材と下地材が埋設されるとともに前記止め具によってコンクリート部に固着されたプレキャストコンクリート製の屋根板を成形し、該屋根板を現場の壁板等に載置してその下地材の内面に天井材を張るようにしたことを特徴とするプレキャストコンクリート造における天井材の取付け方法である。
【００１０】
【発明の実施の形態】
本発明の好ましい実施の形態を図に示す実施例に基づいて説明する。
【００１１】
図１及び図２は本発明の第１実施例を示す。
【００１２】
図１はＰＣａ屋根板１に、断熱材２、下地材３、天井材４を取り付けた状態を示すもので、そのＰＣａ屋根板１は、現場にて組み付けた場合に、ＰＣａ壁板５等に載置する水平の載置面６と、該載置面６に対して、軒先側から棟側に向って高くなる水勾配を有する外面７と、該外面７と平行して傾斜する内面８とで形成されている。
【００１３】
前記断熱材２は発泡材などの断熱性を有する材料からなり、該断熱材２は、前記ＰＣａ屋根板１の内面８側であって天井材が張られる部分において、すなわち載置面６で囲まれる内側において、前記載置面６よりもＰＣａ屋根板１側に埋没するようにして固着されている。更に、該断熱材２は軒先側から棟側に向って漸次肉厚が厚くなるように形成され、その外側面２ａがＰＣａ屋根板１の外面７に略平行し、内面２ｂが水平になっている。更に、該断熱材２は釘などの簡易な保持具９でＰＣａ屋根板１に保持されている。
【００１４】
前記断熱材２の内面（下面）２ｂには木製の合板からなる下地材３が固着され、該下地材３は前記保持具９で保持されている。
【００１５】
前記下地材３の内面（下面）には天井材４が釘などの適宜手段により取り付けられている。
【００１６】
次に、前記のＰＣａ屋根材１の製造と断熱材２、下地材３、天井材４の取付け方法について説明する。
【００１７】
工場において、先ず、図２（ａ）に示すように、所定の大きさに形成された前記下地材３上に、図２（ｂ）に示すように発泡材などの断熱材２を吹付けなどにより形成する。この断熱材２は予め発泡させて形成された板状のものを下地材３上に貼り付け固着してもよい。また、該断熱材２の断面形状は、前記図１に示すように軒先側から棟側に向かって漸次厚くなるように形成する。更に、該断熱材２は発泡材以外の断熱材であってもよい。
【００１８】
また、釘などの簡易な止め具９を図２（ｂ）に示すように断熱材２側から下地材３に打ち、その止め具９の頭部９ａを断熱材２の上面から突出させておく。
【００１９】
次に、前記の断熱材２を備えた下地材３を図２（ｃ）に示すように型枠１０のベッド１１上にセットする。
【００２０】
次に、図２（ｄ）に示すように所定形状の側型枠１２内にコンクリート１３を打設する。この場合、スランプの小さいコンクリート１３を用い、その外面７を、軒先側が低く、棟側が高くなるように傾斜して、すなわち水勾配をつけて打設する。
【００２１】
次に、前記のコンクリート１３を養生、硬化させた後に脱型して、図２（ｅ）に示すようなＰＣａ屋根板１と断熱材２と下地材３が一体化した屋根製品１４を得る。この場合、止め具９の頭部９ａが硬化したコンクリート１３に埋設されるため、この止め具９により断熱材２と下地材３はＰＣａ屋根板１に確実に保持される。
【００２２】
また、前記のように成形された屋根製品１４は、そのＰＣａ屋根板１の載置面６と下地材３の下面が同一面となり、下地材３と断熱材２が、その下地材３の下面を露出してＰＣａ屋根板１内に埋設される。
【００２３】
そして、前記の屋根製品１４を現場へ搬送し、前記図１に示すようにＰＣａ壁板５或いは梁などの上面に架設した後に、天井材４を下地材３に釘などの適宜手段により固着する。
【００２４】
本第１実施例の取付け構造及びその取付け方法によれば、次のような効果を奏する。
【００２５】
▲１▼断熱材２と下地材３をＰＣａ屋根板１の成形と同時にＰＣａ屋根板１に固着できるため、従来のように、現場において多数の下地取付け金物を用いて下地材を取り付ける方法に比べて工費の低減及び工期の短縮ができる。
【００２６】
▲２▼断熱材２及び下地材３がＰＣａ屋根板１内に埋設されるため、従来の工法に比べて天井高を高くとることができる。
【００２７】
▲３▼従来の型枠を利用して製造することができる。
【００２８】
▲４▼断熱材２の厚みを、軒先側から棟側に向って厚く形成したことにより、外面に水勾配を有するＰＣａ屋根板１の厚みを軒先側から棟側にわたって略同一厚に形成でき、従来のものに比べてＰＣａ屋根板におけるコンクリート量の低減及び重量の軽減を図ることができる。
【００３３】
【発明の効果】
以上のようであるから、請求項１及び２の発明によれば、断熱材と下地材をＰＣａ屋根板の成形と同時にＰＣａ屋根板に固着できるため、従来のように、現場において多数の下地取付け金物を用いて下地材を取り付ける方法に比べて工費の低減及び工期の短縮ができる。
【００３４】
更に、断熱材及び下地材がＰＣａ屋根板内に埋設されるため、従来の工法に比べて天井高を高くとることができる。
【００３５】
更に、従来の型枠を利用して製造することができる。
【００３６】
更に、断熱材の厚みを、軒先側から棟側に向って厚く形成したことにより、外面に水勾配を有するＰＣａ屋根板の厚みを軒先側から棟側に向って略同一厚に形成でき、従来のものに比べてＰＣａ屋根板におけるコンクリート量の低減及び重量の軽減を図ることができる。
【図面の簡単な説明】
【図１】  本発明のＰＣａ造における天井材の取付け構造の第１実施例を示すもので、（ａ）は側断面図、（ｂ）は一部拡大側断面図。
【図２】  図１の実施例のＰＣａ屋根材の成形工程を示す図で、ＰＣａ屋根板の形状は簡略化してある。
【図３】  従来のＰＣａ屋根板に対する天井材の取付け構造を示す側断面図。
【図１】
0003954886.tif 000002
【図２】
0003954886.tif 000003
【図３】
0003954886.tif 000004